(57)【要約】【課題】発光素子を駆動する駆動信号の点灯レベルを高い精度で補正する。【解決手段】１レベル電圧Ｖ１が供給される第１端子Ｔ１と、１０２２レベル電圧Ｖ１０２２が供給される第２端子Ｔ２との間に抵抗群１３０を介挿して分圧を行い、低電位側の第３端子Ｔ３ａに供給される０レベル電圧Ｖ０と、高電位側の第３端子Ｔ３ｂに供給される１０２３レベル電圧Ｖ１０２３を、１レベル電圧Ｖ１〜１０２２レベル電圧Ｖ１０２２から独立した電圧値にする。例えば、発光素子を駆動する駆動トランジスターがｐチャネル型の場合は、駆動信号Ｘｉの消灯レベルに対応する１０２３レベル電圧Ｖ１０２３以外の１レベル電圧Ｖ１〜１０２２レベル電圧Ｖ１０２２を、発光素子を目標輝度で発光させるために駆動信号Ｘｉの点灯レベルを補正する必要がある範囲に集中的に割り当てる。【選択図】図３
2011173255.tif 000002
【特許請求の範囲】
【請求項１】
点灯を指定する点灯レベルと消灯を指定する消灯レベルとのうち一方の電圧となる駆動信号のレベルに応じた駆動電流が供給され、前記駆動電流の大きさに応じた輝度で発光する発光素子と、
入力データに基づいて指定データを生成し、前記入力データが点灯を示す場合、前記発光素子が点灯したときの輝度が目標輝度となるように、前記駆動信号の点灯レベルとして第１電圧から第２電圧までの間の複数の電圧のうちいずれかを指定する補正値を前記点灯レベルを指定する点灯指定データとして出力し、前記入力データが消灯を示す場合、前記消灯レベルを指定する消灯指定データを出力する指定データ生成手段と、
前記第１電圧が供給される第１端子と、
前記第２電圧が供給される第２端子と、
前記消灯レベルに対応する第３電圧が供給される第３端子と、
前記第１端子と前記第２端子との間を分圧して前記複数の電圧を生成する電圧生成手段と、
前記指定データ生成手段から供給される前記指定データが前記点灯指定データである場合、前記点灯指定データに基づいて前記複数の電圧の中から一つの電圧を選択して前記駆動信号の点灯レベルとし、前記指定データ生成手段から供給される前記指定データが前記消灯指定データである場合、前記第３電圧を選択して前記駆動信号の消灯レベルとする駆動信号生成手段と、
を備えることを特徴とする発光装置。
【請求項２】
前記第３端子の代わりに、
前記複数の電圧より高い電圧を前記第３電圧として供給することが可能な第４端子と、
前記複数の電圧より低い電圧を前記第３電圧として供給することが可能な第５端子とを備える
ことを特徴する請求項１に記載の発光装置。
【請求項３】
前記補正値を記憶する記憶手段と、
前記記憶手段が記憶する前記補正値を書き替える書替手段とをさらに備える
ことを特徴する請求項１または２に記載の発光装置。
【請求項４】
点灯を指定する点灯レベルと消灯を指定する消灯レベルとのうち一方の電圧となる駆動信号のレベルに応じた駆動電流が供給され、前記駆動電流の大きさに応じた輝度で発光する発光素子を駆動する駆動回路であって、
入力データに基づいて指定データを生成し、前記入力データが点灯を示す場合、前記発光素子が点灯したときの輝度が目標輝度となるように、前記駆動信号の点灯レベルとして第１電圧から第２電圧までの間の複数の電圧のうちいずれかを指定する補正値を前記点灯レベルを指定する点灯指定データとして出力し、前記入力データが消灯を示す場合、前記消灯レベルを指定する消灯指定データを出力する指定データ生成手段と、
前記第１電圧が供給される第１端子と、
前記第２電圧が供給される第２端子と、
前記消灯レベルに対応する第３電圧が供給される第３端子と、
前記第１端子と前記第２端子との間を分圧して前記複数の電圧を生成する電圧生成手段と、
前記指定データ生成手段から供給される前記指定データが前記点灯指定データである場合、前記点灯指定データに基づいて前記複数の電圧の中から一つの電圧を選択して前記駆動信号の点灯レベルとし、前記指定データ生成手段から供給される前記指定データが前記消灯指定データである場合、前記第３電圧を選択して前記駆動信号の消灯レベルとする駆動信号生成手段と、
を備えることを特徴とする駆動回路。
【請求項５】
請求項１乃至３のうちいずれか一項に記載の発光装置を備えたことを特徴とする電子機器。
【発明の詳細な説明】
【技術分野】
【０００１】
本発明は、発光素子を用いた発光装置、駆動回路及び電子機器に関する。
【背景技術】
【０００２】
従来の液晶表示装置は、表示すべき階調を指定する表示データにガンマ補正を施して、補正済みの表示データに基づいて画像を表示している。このような液晶表示装置においてガンマ補正用の調整データを不揮発性メモリーに記憶することにより、パネルの表示特性に応じてガンマ補正の特性を変更する技術が知られている（例えば特許文献１）。
【先行技術文献】
【特許文献】
【０００３】
【特許文献１】特開２００３−２８０６１５号公報
【発明の概要】
【発明が解決しようとする課題】
【０００４】
ところで、液晶表示装置におけるガンマ特性の付与は、液晶の印加電圧と透過率との関係を人の視感特性に併せるように補正するものである。ガンマ補正用の調整データはそのビット数に応じた精度が与えられ、透過率の最大値から最小値までの範囲において均等に階調が割り当てられる。
しかしながら、ＯＬＥＤ（Organic Light-Emitting Diode）素子のような発光素子を点灯・消灯で制御する場合、発光素子は、素子ごとに点灯時の発光輝度がばらつき、また、同じ素子であっても発光特性の経時変化によって点灯時の発光輝度がばらつく。ここで、問題となるのは、点灯時の発光素子の輝度のバラツキであるが、上述した液晶表示装置と同様に点灯から消灯までの範囲に均等に補正値を割り当てると、中間の輝度にも補正値が割り当てられるので無駄が多く、高い精度で補正できないといった欠点があった。
本発明は、上述した課題に鑑みてなされたものであり、発光素子を駆動する駆動信号の点灯レベルを高い精度で補正可能な発光装置、駆動回路及び電子機器を提供することを課題とする。
【課題を解決するための手段】
【０００５】
以上の課題を解決するため、本発明に係る発光装置は、点灯を指定する点灯レベルと消灯を指定する消灯レベルとのうち一方の電圧となる駆動信号のレベルに応じた駆動電流が供給され、前記駆動電流の大きさに応じた輝度で発光する発光素子と、入力データに基づいて指定データを生成し、前記入力データが点灯を示す場合、前記発光素子が点灯したときの輝度が目標輝度となるように、前記駆動信号の点灯レベルとして第１電圧から第２電圧までの間の複数の電圧のうちいずれかを指定する補正値を前記点灯レベルを指定する点灯指定データとして出力し、前記入力データが消灯を示す場合、前記消灯レベルを指定する消灯指定データを出力する指定データ生成手段と、前記第１電圧が供給される第１端子と、前記第２電圧が供給される第２端子と、前記消灯レベルに対応する第３電圧が供給される第３端子と、前記第１端子と前記第２端子との間を分圧して前記複数の電圧を生成する電圧生成手段と、前記指定データ生成手段から供給される前記指定データが前記点灯指定データである場合、前記点灯指定データに基づいて前記複数の電圧の中から一つの電圧を選択して前記駆動信号の点灯レベルとし、前記指定データ生成手段から供給される前記指定データが前記消灯指定データである場合、前記第３電圧を選択して前記駆動信号の消灯レベルとする駆動信号生成手段と、を備えることを特徴とする。
【０００６】
この構成によれば、第１端子と第２端子との間を分圧しているので、第３端子に供給される第３電圧を、第１電圧から第２電圧までの間の複数の電圧から独立した電圧値にすることができる。このため駆動信号の消灯レベルに対応する第３電圧以外の残りの電圧（第１電圧から第２電圧までの間の複数の電圧）を、点灯から消灯までの全範囲でなく、発光素子を目標輝度で発光させるために駆動信号の点灯レベルを補正する必要がある範囲に集中的に割り当てることができる。従って、駆動信号の点灯レベルを高い精度で補正することができ、発光素子を正確に目標輝度で点灯させることができる。
なお、発光素子を駆動する駆動トランジスターがｐチャネル型の場合は、第１電圧と第２電圧より高い電圧を第３電圧として第３端子に供給し、駆動トランジスターがｎチャネル型の場合は、第１電圧と第２電圧より低い電圧を第３電圧として第３端子に供給すればよい。
【０００７】
また、上述した発光装置において、前記第３端子の代わりに、前記複数の電圧より高い電圧を前記第３電圧として供給することが可能な第４端子と、前記複数の電圧より低い電圧を前記第３電圧として供給することが可能な第５端子とを備える構成であってもよい。この場合、発光素子を駆動する駆動トランジスターのチャネルがｐチャネル・ｎチャネルを問わず対応することができる。
【０００８】
また、上述したいずれかの態様に係る発光装置において、前記補正値を記憶する記憶手段と、前記記憶手段が記憶する前記補正値を書き替える書替手段とをさらに備える構成であってもよい。この場合、補正値を書き替えることができるから、発光素子の発光特性が経時変化しても駆動信号の点灯レベルを高い精度で補正することができる。
【０００９】
また、本発明に係る駆動回路は、点灯を指定する点灯レベルと消灯を指定する消灯レベルとのうち一方の電圧となる駆動信号のレベルに応じた駆動電流が供給され、前記駆動電流の大きさに応じた輝度で発光する発光素子を駆動する駆動回路であって、入力データに基づいて指定データを生成し、前記入力データが点灯を示す場合、前記発光素子が点灯したときの輝度が目標輝度となるように、前記駆動信号の点灯レベルとして第１電圧から第２電圧までの間の複数の電圧のうちいずれかを指定する補正値を前記点灯レベルを指定する点灯指定データとして出力し、前記入力データが消灯を示す場合、前記消灯レベルを指定する消灯指定データを出力する指定データ生成手段と、前記第１電圧が供給される第１端子と、前記第２電圧が供給される第２端子と、前記消灯レベルに対応する第３電圧が供給される第３端子と、前記第１端子と前記第２端子との間を分圧して前記複数の電圧を生成する電圧生成手段と、前記指定データ生成手段から供給される前記指定データが前記点灯指定データである場合、前記点灯指定データに基づいて前記複数の電圧の中から一つの電圧を選択して前記駆動信号の点灯レベルとし、前記指定データ生成手段から供給される前記指定データが前記消灯指定データである場合、前記第３電圧を選択して前記駆動信号の消灯レベルとする駆動信号生成手段と、を備えることを特徴とする。
この構成によれば上述した発光装置と同様の効果を奏する。
【００１０】
また、以上の各態様に係る発光装置は各種の電子機器に利用される。本発明に係る電子機器の典型例は画像形成装置である。画像形成装置は、上述したいずれかの態様に係る発光装置と、発光装置による露光で潜像が形成される像担持体（例えば感光体ドラム）と、像担持体の潜像に対する現像剤（例えばトナー）の付加によって顕像を形成する現像器とを備える。
もっとも、本発明に係る発光装置の用途は像担持体の露光に限定されない。例えば、スキャナー等の画像読取装置においては、本発明に係る発光装置を原稿の照明に利用することができる。この画像読取装置は、上述したいずれかの態様に係る発光装置と、発光装置から出射して読取対象（原稿）で反射した光を電気信号に変換する受光装置（例えばＣＣＤ（Charge Coupled Device）素子等の受光素子）とを備える。
【図面の簡単な説明】
【００１１】
【図１】本実施形態に係る発光装置１０を光ヘッドとして用いた画像形成装置の部分的な構成を示す斜視図である。
【図２】発光装置１０の一部の電気的構成を示す回路図である。
【図３】駆動回路１００の構成を示すブロック図である。
【図４】０〜１０２３レベル電圧Ｖ０〜Ｖ１０２３の割り当てについて説明するための図である。
【図５】ドライバーブロック部１２０の構成を示すブロック図である。
【図６】補正データ制御部１１０の構成を示すブロック図である。
【図７】補正値書替モードの場合の動作例を示すタイミングチャートである。
【図８】発光素子駆動モードの場合の動作例を示すタイミングチャートである。
【図９】本実施形態に係る画像形成装置の一例を示す縦断面図である。
【図１０】本実施形態に係る画像形成装置の他の例を示す縦断面図である。
【発明を実施するための形態】
【００１２】
以下、添付した図面を参照しながら本発明に係る実施の形態を説明する。なお、図面において各部の寸法の比率は実際のものと適宜異なる。
＜発光装置の外観＞
図１は、本実施形態に係る発光装置１０を光ヘッド（露光装置）として用いた画像形成装置の部分的な構成を示す斜視図である。同図に示すように画像形成装置は、発光装置１０と集光性レンズアレイ１５と感光体ドラムＰＲＤとを含む。発光装置１０は、ガラスやプラスチック等の透明な材料から形成された基板１１を有する。基板１１上には主走査方向に延在する発光回路領域ＧＲが存在する。発光回路領域ＧＲには、ｎ個の発光素子が主走査方向に直線状に配列されている。そして、これらの発光素子は、用紙等の記録材に印刷されるべき画像の態様に応じて選択的に発光する。この光は、基板１１を透過して集光性レンズアレイ１５へ進む。なお、発光装置１０を変形し、光が基板１１の反対側から出射するようにしてもよい。感光体ドラムＰＲＤは、主走査方向に延在する回転軸に支持され、外周面を発光装置１０に対向させた状態で副走査方向（記録材が搬送される方向）に回転する。
【００１３】
集光性レンズアレイ１５は発光装置１０と感光体ドラムＰＲＤとの間隙に配置される。この集光性レンズアレイ１５は、各々の光軸を発光装置１０に向けた姿勢でアレイ状に配列された多数の屈折率分布型レンズを含む。このような集光性レンズアレイ１５としては、例えば日本板硝子株式会社から入手可能なＳＬＡ（セルフォック・レンズ・アレイ）がある（セルフォック／ＳＥＬＦＯＣは日本板硝子株式会社の登録商標）。
【００１４】
発光装置１０の各発光素子からの出射光は集光性レンズアレイ１５の各屈折率分布型レンズを透過したうえで感光体ドラムＰＲＤの表面に到達する。この露光によって感光体ドラムＰＲＤの表面には所望の画像に応じた潜像（静電潜像）が形成される。
【００１５】
＜発光装置の電気的構成＞
図２は、発光装置１０の一部の電気的構成を示す回路図である。同図に示すように、発光回路領域ＧＲには、各々が発光素子Ｅを含む発光回路Ｇ１〜Ｇｎが配列されている。隣り合う発光回路は、画像形成装置に要求される解像度で潜像を形成することができるように近接して配置されている。発光素子Ｅは、流れる電流に応じた輝度で発光する電流駆動型の発光素子であり、典型的には、有機ＥＬ（Electro Luminescent）材料からなる発光層を陽極と陰極との間に介在させたＯＬＥＤ素子である。なお、ＯＬＥＤ素子以外の発光素子としては、例えば無機ＥＬ素子等の発光ダイオードがある。
【００１６】
発光回路Ｇ１〜Ｇｎは、選択信号線Ｌ１、給電線Ｌ２及び接地線Ｌ３に共通して接続されている。選択信号線Ｌ１には総ての発光回路Ｇ１〜Ｇｎを一斉に選択する選択信号ＧＷＲＴが供給され、給電線Ｌ２には電源電位ＶＤＤが供給され、接地線Ｌ３には接地電位Ｇｎｄが供給されている。また、発光回路Ｇ１〜Ｇｎには、ｎ本の駆動信号線Ｌ４を介して駆動回路１００から駆動信号Ｘ１〜Ｘｎが供給される。駆動信号Ｘ１〜Ｘｎの各々は、対応する発光素子Ｅの輝度を電位で指定する。本実施形態において、駆動信号Ｘｉ（１≦ｉ≦ｎ）は、第ｉ番目の発光素子Ｅに対して点灯（高階調）及び消灯（低階調）の何れかを指定するアナログ電圧信号である。例えば、発光回路Ｇ１〜Ｇｎが選択中であれば、発光回路Ｇｉに接続された駆動信号線Ｌ４の電位は発光回路Ｇｉに指定すべき階調に応じた電位となる。この電位をＶ１としたとき、発光回路Ｇｉには電位Ｖ１が駆動信号線Ｌ４より供給され、発光回路Ｇｉにより保持される。
【００１７】
図２に示すように、発光回路Ｇ１〜Ｇｎの各々において、給電線Ｌ２（電源電位ＶＤＤ）から接地線Ｌ３（接地電位Ｇｎｄ）に至る経路には、ｐチャネル型の駆動トランジスターＴｄｒと発光素子Ｅが直列に介挿される。駆動トランジスターＴｄｒは、ソースとゲートの間の電圧Ｖgsに応じた駆動電流を生成するための手段であり、そのソースが給電線Ｌ２に接続されるとともにドレインが発光素子Ｅの陽極に接続される。上記の電圧Ｖgsは容量素子Ｃにより保持される。駆動トランジスターＴｄｒのゲートには、ｐチャネル型の保持トランジスターＴｈを介して駆動信号線Ｌ４が接続されている。保持トランジスターＴｈは、そのソースが駆動トランジスターＴｄｒのゲートに接続されるとともにドレインが駆動信号線Ｌ４に接続される。保持トランジスターＴｈのゲートには選択信号線Ｌ１が接続されている。なお、発光素子Ｅの陰極は接地線Ｌ３に接続される。
【００１８】
駆動回路１００は、駆動信号Ｘ１〜Ｘｎを発光回路Ｇ１〜Ｇｎに供給して各発光素子Ｅの点灯及び消灯を制御する。駆動回路１００には、モード切替信号Ｄｓと入力データＤｉｎとドットクロック信号ＤＣＫとラッチ信号ＬＡＴが供給される。また、駆動回路１００は４つの端子Ｔ１，Ｔ２，Ｔ３ａ，Ｔ３ｂを備える。低電位側の第３端子Ｔ３ａには０レベル電圧Ｖ０が供給され、第１端子Ｔ１には１レベル電圧Ｖ１が供給され、第２端子Ｔ２には１０２２レベル電圧Ｖ１０２２が供給され、高電位側の第３端子Ｔ３ｂには１０２３レベル電圧Ｖ１０２３が供給される。
【００１９】
次に、発光装置１０の動作について、発光回路Ｇ１を例に挙げて説明する。選択信号ＧＷＲＴのレベルがＬｏｗになると、発光回路Ｇ１の保持トランジスターＴｈがオン状態となり、発光回路Ｇ１の駆動トランジスターＴｄｒのゲートと駆動信号線Ｌ４とが導通する。従って、駆動信号線Ｌ４の電位が発光回路Ｇ１の駆動トランジスターＴｄｒのゲートに供給される。このときの駆動信号線Ｌ４の電位を電位Ｖ１とした場合、発光回路Ｇ１の駆動トランジスターＴｄｒのゲートの電位は電位Ｖ１となる。よって、発光回路Ｇ１の駆動トランジスターＴｄｒは、電源電位ＶＤＤと電位Ｖ１との電位差（電圧Ｖgs）に応じた駆動電流を生成してドレインから出力する。そして、この駆動電流により発光回路Ｇ１の発光素子Ｅが駆動される。なお、選択信号ＧＷＲＴのレベルがＨｉになると、発光回路Ｇ１の保持トランジスターＴｈがオフ状態となるが、上記の電位差は容量素子Ｃにより保持されるから、上記の駆動電流のレベルは変わらない。他の発光回路の動作もこれと同様である。
【００２０】
図３は、駆動回路１００の構成を示すブロック図である。駆動回路１００において第１端子Ｔ１と第２端子Ｔ２との間には、１０２１個の抵抗が直列に接続された抵抗群１３０が介挿される。抵抗群１３０は、第１端子Ｔ１と第２端子Ｔ２との間を分圧し、２レベル電圧Ｖ２〜１０２１レベル電圧Ｖ１０２１を生成する。ここで生成された２レベル電圧Ｖ２〜１０２１レベル電圧Ｖ１０２１と、４つの端子Ｔ１，Ｔ２，Ｔ３ａ，Ｔ３ｂに供給されている０レベル電圧Ｖ０，１レベル電圧Ｖ１，１０２２レベル電圧Ｖ１０２２，１０２３レベル電圧Ｖ１０２３とが各ドライバーブロック部１２０に供給される。本実施形態では、低電位側の第３端子Ｔ３ａと高電位側の第３端子Ｔ３ｂとの間ではなく、第１端子Ｔ１と第２端子Ｔ２との間に抵抗群１３０を介挿しているので、０レベル電圧Ｖ０と１０２３レベル電圧Ｖ１０２３を、１レベル電圧Ｖ１〜１０２２レベル電圧Ｖ１０２２から独立した電圧値にすることができる。
【００２１】
補正データ制御部１１０には、モード切替信号Ｄｓと入力データＤｉｎとドットクロック信号ＤＣＫとラッチ信号ＬＡＴとが供給される。モード切替信号Ｄｓは、補正値書替モードと発光素子駆動モードとの切り替えを指示する信号である。ここで、補正値書替モードは、ルックアップテーブルに格納されている各発光素子Ｅの点灯時の輝度を補正する補正値を書き替えるモードである。なお、ルックアップテーブルは、補正データ制御部１１０内に記憶されている。また、発光素子駆動モードは、各発光素子Ｅを駆動して点灯と消灯を制御するモードである。補正値書替モードの場合、入力データＤｉｎとして、各発光素子Ｅの点灯時の輝度を補正する補正値Ｓｉが供給される。つまり１番目からｎ番目までの各発光素子Ｅの補正値Ｓｉ（１０ビット）が補正データ制御部１１０に入力される。一方、発光素子駆動モードの場合、入力データＤｉｎとして、各発光素子Ｅの点灯及び消灯の何れかを指定する２値データＢｉが供給される。つまり１番目からｎ番目までの各発光素子Ｅについて各々１ビットの点灯又は消灯を示す２値データＢｉが補正データ制御部１１０に入力される。
【００２２】
補正データ制御部１１０は、補正値書替モードの場合、入力データＤｉｎとして供給される各発光素子Ｅの補正値Ｂｉに基づいて、ルックアップテーブルに格納されている各発光素子Ｅの補正値を書き替える。また、補正データ制御部１１０は、発光素子駆動モードの場合、発光素子Ｅごとに、２値データＢｉ（Ｄｉｎ）が点灯を示す場合は、ルックアップテーブルから対応する補正値を読み出し、これを点灯指定データＰｉとして出力する。例えば点灯指定データＰｉ（補正値）は、１レベル電圧Ｖ１〜１０２２レベル電圧Ｖ１０２２のうちの何れかを指定する１０ビットのデータである。一方、２値データＢｉ（Ｄｉｎ）が消灯を示す場合、補正データ制御部１１０は、ルックアップテーブルを参照せず、予め定められた消灯指定データＯｉを出力する。例えば消灯指定データＯｉは、１０２３レベル電圧Ｖ１０２３を指定する１０ビットのデータである。このように発光素子駆動モードの場合、補正データ制御部１１０からは、１番目からｎ番目までの各発光素子Ｅについて点灯指定データＰｉ又は消灯指定データＯｉが指定データＤｏｕｔとして出力される。
【００２３】
各ドライバーブロック部１２０には、補正データ制御部１１０から出力された各発光素子Ｅの指定データＤｏｕｔ（Ｐｉ／Ｏｉ）と、ドットクロック信号ＤＣＫと、ラッチ信号ＬＡＴとが供給される。また、各ドライバーブロック部１２０には、０レベル電圧Ｖ０〜１０２３レベル電圧Ｖ１０２３が供給される。補正データ制御部１１０から出力された各発光素子Ｅの指定データＤｏｕｔ（Ｐｉ／Ｏｉ）は、ドットクロック信号ＤＣＫに同期して後段のドライバーブロック部１２０に順次転送されていく。総てのドライバーブロック部１２０に指定データＤｏｕｔ（Ｐｉ／Ｏｉ）が行き渡った時点でラッチ信号ＬＡＴが立ち上がるので、各ドライバーブロック部１２０ではそのタイミングで保持している指定データＤｏｕｔ（Ｐｉ／Ｏｉ）を用いてレベル電圧の選択を行う。すなわち、各ドライバーブロック部１２０は、０レベル電圧Ｖ０〜１０２３レベル電圧Ｖ１０２３の中から、指定データＤｏｕｔ（Ｐｉ／Ｏｉ）が指定するレベル電圧を選択し、これを駆動信号Ｘｉとして出力する。例えば、指定データＤｏｕｔが消灯指定データＯｉであった場合は１０２３レベル電圧Ｖ１０２３が選択される。
【００２４】
図４は、０〜１０２３レベル電圧Ｖ０〜Ｖ１０２３の割り当てについて説明するための図である。なお、同図に示す発光素子Ｅの発光特性は、駆動トランジスターＴｄｒがｐチャネル型の場合である。この場合、駆動信号Ｘｉの電位がＶＤＤ−Ｖｔｈを超えて高電位になると、駆動トランジスターＴｄｒはオフ状態となり発光素子Ｅは消灯する。そこで、駆動信号Ｘｉの消灯レベルに対応する１０２３レベル電圧Ｖ１０２３以外の１レベル電圧Ｖ１〜１０２２レベル電圧Ｖ１０２２を、発光素子Ｅを目標輝度で発光させるために駆動信号Ｘｉの点灯レベルを補正する必要がある範囲に割り当てればよい。
【００２５】
発光素子Ｅの発光特性は図中点線で示すような範囲でばらつく。従って、発光素子Ｅを目標輝度で点灯させるためには、点灯から消灯までの全範囲Ｒａに亘って均等に補正値を割り当てる必要はなく、範囲Ｒｔの部分に補正値を割り当てて駆動信号Ｘｉの点灯レベルを補正してやればよい。前述したように本実施形態では、０レベル電圧Ｖ０と１０２３レベル電圧Ｖ１０２３を、１レベル電圧Ｖ１〜１０２２レベル電圧Ｖ１０２２から独立した電圧値にすることができるので、同図に示すように駆動信号Ｘｉの消灯レベルに対応する１０２３レベル電圧Ｖ１０２３以外の１レベル電圧Ｖ１〜１０２２レベル電圧Ｖ１０２２を範囲Ｒｔに割り当てることができる。
【００２６】
なお、駆動トランジスターＴｄｒがｎチャネル型の場合は、駆動信号Ｘｉの電位がＶｔｈを超えて低電位になると、駆動トランジスターＴｄｒはオフ状態となり発光素子Ｅは消灯する。そこで、駆動信号Ｘｉの消灯レベルに対応する０レベル電圧Ｖ０以外の１レベル電圧Ｖ１〜１０２２レベル電圧Ｖ１０２２を、発光素子Ｅを目標輝度で発光させるために駆動信号Ｘｉの点灯レベルを補正する必要がある範囲に割り当てればよい。
【００２７】
従って、駆動回路１００として必要な端子は、点灯時の発光輝度の補正に必要な最低電圧Ｖ０が供給される第１端子Ｔ１と、点灯時の発光輝度の補正に必要な最高電圧である１０２２レベル電圧Ｖ１０２２が供給される第２端子Ｔ２と、消灯時の駆動信号Ｘｉの電圧が供給される第３端子Ｔ３ａ又はＴ３ｂである。本実施形態では、駆動トランジスターＴｄｒとしてｐチャネルを採用するので、高電位側の第３端子Ｔ３ｂを使用し、低電位側の第３端子Ｔ３ａは使用しない。しかしながら、駆動トランジスターＴｄｒとしてｎチャネルを採用する場合には、高電位側の第３端子Ｔ３ｂを不使用とし、低電位側の第３端子Ｔ３ａを使用する。このように、消灯時の駆動信号Ｘｉの電圧の入力端子として低電位側の第３端子Ｔ３ａと高電位側の第３端子Ｔ３ｂとを採用することによって、駆動トランジスターＴｄｒのチャネルがｐチャネル・ｎチャネルを問わず対応することができる。これにより駆動回路１００の汎用性を向上させることができる。
【００２８】
図５は、ドライバーブロック部１２０の構成を示すブロック図である。シフトレジスター１２１にはドットクロック信号ＤＣＫとラッチ信号ＬＡＴが供給され、選択回路１２２には０レベル電圧Ｖ０〜１０２３レベル電圧Ｖ１０２３が供給される。ドライバーブロック部１２０は、ラッチ信号ＬＡＴが立ち上がると、その時点でシフトレジスター１２１に保持されている指定データＤｏｕｔ（Ｐｉ／Ｏｉ）を選択回路１２２に出力する。選択回路１２２は、０レベル電圧Ｖ０〜１０２３レベル電圧Ｖ１０２３の中から、指定データＤｏｕｔ（Ｐｉ／Ｏｉ）が指定するレベル電圧を選択する。選択回路１２２で選択されたレベル電圧は、ボルテージフォロア１２３を介して駆動信号Ｘｉとして出力される。
【００２９】
図６は、補正データ制御部１１０の構成を示すブロック図である。
入力データＤｉｎ（Ｂｉ／Ｓｉ）は、シリアルパラレル変換回路１１１と選択回路１１４に供給される。補正値書替モードの場合、入力データＤｉｎとして各発光素子Ｅの補正値Ｓｉが供給される。補正値Ｓｉは、シリアルパラレル変換回路１１１においてシリアル信号からパラレル信号に変換される。その結果、１０ビットのパラレル信号に変換された各発光素子Ｅの補正値Ｐｉがシリアルパラレル変換回路１１１から順次出力される。なお、シリアルパラレル変換回路１１１は、ラッチ信号ＬＡＴを利用して補正値Ｓｉの取り込み開始タイミングを決定している。
【００３０】
ＬＵＴ（Look Up Table）１１２は、ＳＲＡＭ（Static Random Access Memory）等のメモリーに記憶されたデータテーブルであり、１番目からｎ番目までの総ての発光素子Ｅの補正値Ｐｉを格納している。また、各発光素子Ｅの補正値Ｐｉはアドレスと対応付けて管理される。以下の説明では、便宜上、１〜ｎまでの数値をアドレスとして使用する。つまり、ＬＵＴ１１２には、１番目の発光素子Ｅの補正値Ｐ１がアドレス１と対応付けて格納されており、２番目の発光素子Ｅの補正値Ｐ２がアドレス２と対応付けて格納されており、ｎ番目の発光素子Ｅの補正値Ｐｎがアドレスｎと対応付けて格納されているものとする。また、補正データ制御部１１０は、ＬＵＴ１１２の他に、消灯時の電圧の選択を指定する（この例では、１０２３レベル電圧Ｖ１０２３を指定する）消灯指定データＯｉを記憶している。
【００３１】
カウンタ回路１１３は、アドレス信号ＡＤＤと分周信号１１３ａを生成する。アドレス信号ＡＤＤはＬＵＴ１１２のアドレスを指定する信号である。分周信号１１３ａは、ドットクロック信号ＤＣＫを１/１０分周して得た信号であり、Ｈｉレベルがアクティブである。ＮＡＮＤゲートには分周信号１１３ａとモード切替信号Ｄｓとが供給される。モード切替信号Ｄｓは補正値書替モードにおいてＨｉレベルとなる。よって、ＮＡＮＤゲートから出力される書込信号ＬＷＲＴは、補正値書替モードにおいて１０ビットのシリアル−パラレル変換の周期でＬｏｗアクティブとなる。
【００３２】
カウンタ回路１１３は、ドットクロック信号ＤＣＫを計数して、例えば１〜ｎまでの数値をインクリメントしていき、これをアドレス信号ＡＤＤとして出力する。なお、ＬＵＴ書込モードと発光素子駆動モードではアドレスをインクリメントする周期が異なる。また、カウンタ回路１１３は、ラッチ信号ＬＡＴがＬｏｗからＨｉに切り替わると、アドレス信号ＡＤＤのインクリメントをリセットする。同図ではモード切替信号Ｄｓが０（Ｌｏｗ）の場合を発光素子駆動モードとし、モード切替信号Ｄｓが１（ｈｉ）の場合を補正値書替モードとしている。カウンタ回路１１３は、所定周期ごとに一定期間Ｈｉとなるパルスを出力する。
【００３３】
書込信号ＬＷＲＴがＨｉからＬｏｗに切り替わると、シリアルパラレル変換回路１１１から出力される１０ビットの補正値Ｐｉが、アドレス信号ＡＤＤの値で指定されるアドレスと対応付けてＬＵＴ１１２に書き込まれる。また、補正データ制御部１１０は、発光素子駆動モードの場合、カウンタ回路１１３からアドレス信号ＡＤＤが出力されると、このアドレス信号ＡＤＤの値で指定されるアドレスと対応付けてＬＵＴ１１２に格納されている補正値Ｐｉを読み出し、選択回路１１４に出力する。
【００３４】
選択回路１１４は、発光素子駆動モードの場合に、２値データＢｉ（Ｄｉｎ）に基づいてＬＵＴ１１２からの補正値Ｐｉと消灯指定データＯｉのうちの何れか一方を選択する。
例えば２値データＢｉが点灯を示す場合、選択回路１１４は、補正値Ｐｉを選択してこれを点灯指定データＰｉ（Ｄｏｕｔ）として出力する。一方、２値データＢｉが消灯を示す場合、選択回路１１４は、消灯指定データＯｉ（Ｄｏｕｔ）として出力する。なお、駆動トランジスターＴｄｒがｎチャネル型の場合、消灯指定データＯｉは０レベル電圧Ｖ０を指定するデータとすればよい。補正値と同様に、消灯指定データＯｉも駆動回路１００の外部から書き替え可能な構成としてもよい。
【００３５】
図７は、補正値書替モードの場合の動作例を示すタイミングチャートである。ラッチ信号ＬＡＴがＬｏｗに切り替わった時点でモード切替信号ＤｓがＨｉの場合は、以降、モード切替信号ＤｓがＬｏｗになるまで補正値書替モードとなる。補正値書替モードの場合、入力データＤｉｎとして、１番目からｎ番目までの各発光素子Ｅの補正値Ｓｉ（シリアル信号）が供給される。シリアルパラレル変換回路１１１は、補正値書替モードになると、補正値Ｓｉの取り込みを開始してシリアル−パラレル変換を行う。その結果、シリアルパラレル変換回路１１１からは、１０ビットのパラレル信号に変換された各発光素子Ｅの補正値Ｐｉが順次出力される。また、カウンタ回路１１３は、補正値書替モードが開始されると、所定周期ごとにアドレス信号ＡＤＤの値をインクリメントする。補正データ制御部１１０は、書込信号ＬＷＲＴがＨｉからＬｏｗに切り替わると、シリアルパラレル変換回路１１１から出力される１０ビットの補正値Ｐｉを、アドレス信号ＡＤＤの値で指定されるアドレスと対応付けてＬＵＴ１１２に書き込む。例えば同図に示す例では、書込信号ＬＷＲＴが最初にＬｏｗに切り替わったタイミングで、１番目の発光素子Ｅの補正値Ｐ１をアドレス１と対応付けてＬＵＴ１１２に書き込む処理が開始される。また、以降同様の処理を繰り返すことで、ＬＵＴ１１２に格納されている総ての発光素子Ｅの補正値を書き替える。
【００３６】
図８は、発光素子駆動モードの場合の動作例を示すタイミングチャートである。ラッチ信号ＬＡＴがＬｏｗに切り替わった時点でモード切替信号ＤｓがＬｏｗの場合は、以降、モード切替信号Ｄｓがｈｉになるまで発光素子駆動モードとなる。発光素子駆動モードの場合、入力データＤｉｎとして、１番目からｎ番目までの各発光素子Ｅの階調（点灯／消灯）を指定する２値データＢｉが供給される。また、発光素子駆動モードになるとカウンタ回路１１３は、ドットクロックＣＫＬが立ち上がるごとにアドレス信号ＡＤＤの値をインクリメントする。補正データ制御部１１０は、２値データＢｉが点灯を示す場合、ＬＵＴ１１２からアドレス信号ＡＤＤの値に対応するｉ番目の発光素子Ｅの補正値（１０ビット）を読み出し、これを点灯指定データＰｉとして出力する。また、補正データ制御部１１０は、２値データＢｉが消灯を示す場合、消灯指定データＯｉを出力する。例えば同図に示す例では、１番目から４番目までの各発光素子Ｅは点灯となり、５番目から８番目までの各発光素子Ｅは消灯となる。
【００３７】
以上説明したように本実施形態によれば、１レベル電圧Ｖ１が供給される第１端子Ｔ１と、１０２２レベル電圧Ｖ１０２２が供給される第２端子Ｔ２との間に抵抗群１３０を介挿して分圧を行っているので、低電位側の第３端子Ｔ３ａに供給される０レベル電圧Ｖ０と、高電位側の第３端子Ｔ３ｂに供給される１０２３レベル電圧Ｖ１０２３を、１レベル電圧Ｖ１〜１０２２レベル電圧Ｖ１０２２から独立した電圧値にすることができる。
このため駆動トランジスターＴｄｒがｐチャネル型の場合であれば、駆動信号Ｘｉの消灯レベルに対応する１０２３レベル電圧Ｖ１０２３以外の１レベル電圧Ｖ１〜１０２２レベル電圧Ｖ１０２２を、発光素子Ｅを目標輝度で発光させるために駆動信号Ｘｉの点灯レベルを補正する必要がある範囲Ｒｔに集中的に割り当てることができる。また、駆動トランジスターＴｄｒがｎチャネル型の場合であれば、駆動信号Ｘｉの消灯レベルに対応する０レベル電圧Ｖ０以外の１レベル電圧Ｖ１〜１０２２レベル電圧Ｖ１０２２を、発光素子Ｅを目標輝度で発光させるために駆動信号Ｘｉの点灯レベルを補正する必要がある範囲に集中的に割り当てることができる。従って、駆動信号Ｘｉの点灯レベルを高い精度で補正することができ、各発光素子Ｅを正確に目標輝度で発光させることができる。また、駆動トランジスターＴｄｒのチャネルがｐチャネル・ｎチャネルを問わず対応することができる。
【００３８】
また、駆動回路１００（ドライバーＩＣ）にＬＵＴ１１２を備えたことで、発光素子駆動モード時に駆動回路１００に供給する入力データＤｉｎのデータ量を大幅に削減することができる（１発光素子Ｅあたり１ビットでよい）。また、これにより駆動回路１００の前段に設けられた制御回路と駆動回路１００との間の信号線数を削減することができ、伝送線路からの不要輻射も低減することができる。
【００３９】
なお、上述した実施形態においては、駆動トランジスターＴｄｒのチャネルがｐチャネル又はｎチャネルのいずれにも対応できるように低電位側の第３端子Ｔ３ａと高電位側の第３端子Ｔ３ｂの両方を設けたが、使用する駆動トランジスターＴｄｒのチャネル形式が定められているのであれば、２個の第３端子Ｔ３ａ及びＴ３ｂのうち一方を備えればよい。つまり、使用する駆動トランジスターＴｄｒがｐチャネル型であれば、高電位側の第３端子Ｔ３ｂは不要である。同様に、使用する駆動トランジスターＴｄｒがｎチャネル型であれば、低電位側の第３端子Ｔ３ａは不要である。また、入力データＤｉｎやドットクロック信号ＤＣＫを小振幅の差動信号として不要輻射を削減してもよい。
【００４０】
＜画像形成装置全体＞
次に、画像形成装置の全体について説明する。なお、画像形成装置の例としては、プリンター、複写機の印刷部分及びファクシミリの印刷部分がある。
図９は、発光装置１０をライン型の露光装置として用いた画像形成装置の一例を示す縦断面図である。この画像形成装置は、ベルト中間転写体方式を利用したタンデム型のフルカラー画像形成装置である。
【００４１】
この画像形成装置では、同様な構成の４個の露光装置１０Ｋ，１０Ｃ，１０Ｍ，１０Ｙが、同様な構成である４個の感光体ドラム（像担持体）２１０Ｋ，２１０Ｃ，２１０Ｍ，２１０Ｙの露光位置にそれぞれ配置されている。露光装置１０Ｋ，１０Ｃ，１０Ｍ，１０Ｙは上述した発光装置１０である。
【００４２】
この図に示すように、この画像形成装置には、駆動ローラ２２１と従動ローラ２２２が設けられており、これらのローラ２２１，２２２には無端の中間転写ベルト２２０が巻回されて、矢印に示すようにローラ２２１，２２２の周囲を回転させられる。図示しないが、中間転写ベルト２２０に張力を与えるテンションローラ等の張力付与手段を設けてもよい。
【００４３】
この中間転写ベルト２２０の周囲には、互いに所定間隔をおいて４個の外周面に感光層を有する感光体ドラム２１０Ｋ，２１０Ｃ，２１０Ｍ，２１０Ｙが配置される。添え字Ｋ，Ｃ，Ｍ，Ｙはそれぞれ黒、シアン、マゼンタ、イエローの顕像を形成するために使用されることを意味している。他の部材についても同様である。感光体ドラム２１０Ｋ，２１０Ｃ，２１０Ｍ，２１０Ｙは、中間転写ベルト２２０の駆動と同期して回転駆動される。
【００４４】
各感光体ドラム２１０（Ｋ，Ｃ，Ｍ，Ｙ）の周囲には、コロナ帯電器２１１（Ｋ，Ｃ，Ｍ，Ｙ）と、露光装置１０（Ｋ，Ｃ，Ｍ，Ｙ）と、現像器２１４（Ｋ，Ｃ，Ｍ，Ｙ）が配置されている。コロナ帯電器２１１（Ｋ，Ｃ，Ｍ，Ｙ）は、対応する感光体ドラム２１０（Ｋ，Ｃ，Ｍ，Ｙ）の外周面を一様に帯電させる。露光装置１０（Ｋ，Ｃ，Ｍ，Ｙ）は、感光体ドラムの帯電させられた外周面に静電潜像を書き込む。各露光装置１０（Ｋ，Ｃ，Ｍ，Ｙ）は、複数のＯＬＥＤ素子の配列方向が感光体ドラム２１０（Ｋ，Ｃ，Ｍ，Ｙ）の母線（主走査方向）に沿うように設置される。静電潜像の書き込みは、上記の複数のＯＬＥＤ素子により光を感光体ドラムに照射することにより行う。現像器２１４（Ｋ，Ｃ，Ｍ，Ｙ）は、静電潜像に現像剤としてのトナーを付着させることにより感光体ドラムに顕像すなわち可視像を形成する。
【００４５】
このような４色の単色顕像形成ステーションにより形成された黒、シアン、マゼンタ、イエローの各顕像は、中間転写ベルト２２０上に順次一次転写されることにより、中間転写ベルト２２０上で重ね合わされて、この結果フルカラーの顕像が得られる。中間転写ベルト２２０の内側には、４つの一次転写コロトロン（転写器）２１２（Ｋ，Ｃ，Ｍ，Ｙ）が配置されている。一次転写コロトロン２１２（Ｋ，Ｃ，Ｍ，Ｙ）は、感光体ドラム２１０（Ｋ，Ｃ，Ｍ，Ｙ）の近傍にそれぞれ配置されており、感光体ドラム２１０（Ｋ，Ｃ，Ｍ，Ｙ）から顕像を静電的に吸引することにより、感光体ドラムと一次転写コロトロンの間を通過する中間転写ベルト２２０に顕像を転写する。
【００４６】
最終的に画像を形成する対象としてのシート２０２は、ピックアップローラ２０３によって、給紙カセット２０１から１枚ずつ給送されて、駆動ローラ２２１に接した中間転写ベルト２２０と二次転写ローラ２２６の間のニップに送られる。中間転写ベルト２２０上のフルカラーの顕像は、二次転写ローラ２２６によってシート２０２の片面に一括して二次転写され、定着部である定着ローラ対２２７を通ることでシート２０２上に定着される。この後、シート２０２は、排紙ローラ対２２８によって、装置上部に形成された排紙カセット上へ排出される。
【００４７】
図１０は、発光装置１０をライン型の露光装置として用いた他の画像形成装置の一例を示す縦断面図である。この画像形成装置は、ベルト中間転写体方式を利用したロータリ現像式のフルカラー画像形成装置である。
【００４８】
この図に示す画像形成装置において、感光体ドラム（像担持体）２６５の周囲には、コロナ帯電器２６８、ロータリ式の現像ユニット２６１、露光装置２６７、中間転写ベルト２６９が設けられている。
【００４９】
コロナ帯電器２６８は、感光体ドラム２６５の外周面を一様に帯電させる。露光装置２６７は、感光体ドラム２６５の帯電させられた外周面に静電潜像を書き込む。露光装置２６７は、上述した発光装置１０であり、複数のＯＬＥＤ素子の配列方向が感光体ドラム２６５の母線（主走査方向）に沿うように設置される。静電潜像の書き込みは、上記の複数のＯＬＥＤ素子により光を感光体ドラムに照射することにより行う。
【００５０】
現像ユニット２６１は、４つの現像器２６３Ｙ，２６３Ｃ，２６３Ｍ，２６３Ｋが９０°の角間隔をおいて配置されたドラムであり、軸２６１ａを中心にして反時計回りに回転可能である。現像器２６３Ｙ，２６３Ｃ，２６３Ｍ，２６３Ｋは、それぞれイエロー、シアン、マゼンタ、黒のトナーを感光体ドラム２６５に供給して、静電潜像に現像剤としてのトナーを付着させることにより感光体ドラム２６５に顕像すなわち可視像を形成する。
【００５１】
無端の中間転写ベルト２６９は、駆動ローラ２７０ａ、従動ローラ２７０ｂ、一次転写ローラ２６６及びテンションローラに巻回されて、これらのローラの周囲を矢印に示す向きに回転させられる。一次転写ローラ２６６は、感光体ドラム２６５から顕像を静電的に吸引することにより、感光体ドラムと一次転写ローラ２６６の間を通過する中間転写ベルト２６９に顕像を転写する。
【００５２】
具体的には、感光体ドラム２６５の最初の１回転で、露光装置２６７によりイエロー（Ｙ）像のための静電潜像が書き込まれて現像器２６３Ｙにより同色の顕像が形成され、さらに中間転写ベルト２６９に転写される。また、次の１回転で、露光装置２６７によりシアン（Ｃ）像のための静電潜像が書き込まれて現像器２６３Ｃにより同色の顕像が形成され、イエローの顕像に重なり合うように中間転写ベルト２６９に転写される。そして、このようにして感光体ドラム２６５が４回転する間に、イエロー、シアン、マゼンタ、黒の顕像が中間転写ベルト２６９に順次重ね合わせられ、この結果フルカラーの顕像が転写ベルト２６９上に形成される。最終的に画像を形成する対象としてのシートの両面に画像を形成する場合には、中間転写ベルト２６９に表面と裏面の同色の顕像を転写し、次に中間転写ベルト２６９に表面と裏面の次の色の顕像を転写する形式で、フルカラーの顕像を中間転写ベルト２６９上で得る。
【００５３】
画像形成装置には、シートが通過させられるシート搬送路２７４が設けられている。シートは、給紙カセット２７８から、ピックアップローラ２７９によって１枚ずつ取り出され、搬送ローラによってシート搬送路２７４を進行させられ、駆動ローラ２７０ａに接した中間転写ベルト２６９と二次転写ローラ２７１の間のニップを通過する。二次転写ローラ２７１は、中間転写ベルト２６９からフルカラーの顕像を一括して静電的に吸引することにより、シートの片面に顕像を転写する。二次転写ローラ２７１は、図示しないクラッチにより中間転写ベルト２６９に接近及び離間させられるようになっている。そして、シートにフルカラーの顕像を転写する時に二次転写ローラ２７１は中間転写ベルト２６９に当接させられ、中間転写ベルト２６９に顕像を重ねている間は二次転写ローラ２７１から離される。
【００５４】
上記のようにして画像が転写されたシートは定着器２７２に搬送され、定着器２７２の加熱ローラ２７２ａと加圧ローラ２７２ｂの間を通過させられることにより、シート上の顕像が定着する。定着処理後のシートは、排紙ローラ対２７６に引き込まれて矢印Ｆの向きに進行する。両面印刷の場合には、シートの大部分が排紙ローラ対２７６を通過した後、排紙ローラ対２７６が逆方向に回転させられ、矢印Ｇで示すように両面印刷用搬送路２７５に導入される。そして、二次転写ローラ２７１により顕像がシートの他面に転写され、再度定着器２７２で定着処理が行われた後、排紙ローラ対２７６でシートが排出される。
【００５５】
以上、画像形成装置を例示したが、発光装置１０は、他の電子写真方式の画像形成装置にも応用可能である。例えば、中間転写ベルトを使用せずに感光体ドラムから直接シートに顕像を転写するタイプの画像形成装置や、モノクロの画像を形成する画像形成装置、像担持体として感光体ベルトを用いる画像形成装置にも応用可能である。
また、発光装置１０の用途は像担持体の露光に限定されない。例えば、発光装置１０は、原稿等の読取対象に光を照射する照明装置として画像読取装置に採用される。この種の画像読取装置としては、スキャナー、複写機やファクシミリの読取部分、バーコードリーダー、あるいはＱＲコード（登録商標）のような二次元画像コードを読む二次元画像コードリーダー等がある。
【符号の説明】
【００５６】
１０…発光装置、Ｇ１〜Ｇｎ…発光回路、Ｅ…発光素子、Ｔｄｒ…駆動トランジスター、Ｔｈ…保持トランジスター、Ｌ４…駆動信号線、１００…駆動回路、Ｘ１〜Ｘｎ…駆動信号、Ｄｓ…モード切替信号、Ｄｉｎ…入力データ、Ｂｉ，Ｂ１〜Ｂｎ…２値データ、Ｓｉ…補正値（シリアル）、Ｄｏｕｔ…指定データ、Ｐｉ…補正値（パラレル）及び点灯指定データ、Ｏｉ…消灯指定データ、ＤＣＫ…ドットクロック信号、ＬＡＴ…ラッチ信号、Ｔ１…第１端子、Ｔ２…第２端子、Ｔ３ａ…低電位側の第３端子、Ｔ３ｂ…高電位側の第３端子、Ｖ０〜Ｖ１０２３…０〜１０２３レベル電圧、１１０…補正データ制御部、１１１…シリアルパラレル変換回路、１１２…ＬＵＴ、１１３…カウンタ回路、１１３ａ…分周信号、１１４…選択回路、１２０…ドライバーブロック部、１３０…抵抗群、１２１…シフトレジスター、１２２…選択回路、ＬＷＲＴ…書込信号、ＡＤＤ…アドレス信号。
【図１】
2011173255.tif 000003
【図２】
2011173255.tif 000004
【図３】
2011173255.tif 000005
【図４】
2011173255.tif 000006
【図５】
2011173255.tif 000007
【図６】
2011173255.tif 000008
【図７】
2011173255.tif 000009
【図８】
2011173255.tif 000010
【図９】
2011173255.tif 000011
【図１０】
2011173255.tif 000012